(57)【要約】【課題】集水桝内への落葉の流入を防止しつつ車道上に水溜りができるのを防ぐことができる縁石を提供する。【解決手段】道路脇に埋設された集水桝２に隣接して配設される縁石１。この縁石１の車道側の側面１ａには、前記集水桝２に連通する導水路５が設けられており、この導水路５の車道側の側面５ａには、車道上の雨水を当該導水路５内に導く複数の開口部７が形成されている。前記複数の開口部７は、その下端位置が異なる少なくとも２種類の開口部群７ａ、７ｂからなっている。  【選択図】      図１
2008184773.tif 000002
【特許請求の範囲】
【請求項１】
道路脇に埋設された集水桝に隣接して配設される縁石であって、
この縁石の車道側の側面には、前記集水桝に連通する導水部が形成されており、
この導水部の開口には、車道上の雨水を当該導水部に導く複数の開口部が形成された蓋体が設けられており、且つ
前記複数の開口部は、その下端位置が異なる少なくとも２種類の開口部群からなることを特徴とする縁石。
【請求項２】
前記複数の開口部が、前記蓋体の上下方向に沿って形成された複数のスリットである請求項１に記載の縁石。
【請求項３】
道路脇に埋設された集水桝に隣接して配設される縁石であって、
この縁石には、前記集水桝に連通する導水路が設けられており、
前記縁石の車道側の側面には、車道上の雨水を前記導水路内に導く複数の開口部が形成されており、且つ
前記複数の開口部は、その下端位置が異なる少なくとも２種類の開口部群からなることを特徴とする縁石。
【請求項４】
前記導水路が、前記縁石の車道側側面の下部において当該縁石の長手方向に沿って形成された切欠きに固設された角柱状の管体からなる請求項３に記載の縁石。
【請求項５】
前記複数の開口部が、前記管体の側面に上下方向に沿って形成された複数のスリットである請求項４に記載の縁石。
【請求項６】
道路脇に埋設された集水桝に隣接して配設される、縁石部を備えた側溝用ブロックであって、
前記縁石部の車道側の側面には、前記集水桝に連通する導水部が形成されており、
この導水部の開口には、車道上の雨水を当該導水部に導く複数の開口部が形成された蓋体が設けられており、且つ
前記複数の開口部は、その下端位置が異なる少なくとも２種類の開口部群からなることを特徴とする、縁石部を備えた側溝用ブロック。
【請求項７】
道路脇に埋設された集水桝に隣接して配設される、縁石部を備えた側溝用ブロックであって、
前記縁石部には、前記集水桝に連通する導水路が設けられており、
前記縁石部の車道側の側面には、車道上の雨水を前記導水路内に導く複数の開口部が形成されており、且つ
前記複数の開口部は、その下端位置が異なる少なくとも２種類の開口部群からなることを特徴とする、縁石部を備えた側溝用ブロック。
【発明の詳細な説明】
【技術分野】
【０００１】
本発明は縁石及び縁石部を備えた側溝用ブロックに関する。さらに詳しくは、雨水を集水桝に導くための開口部を車道側の側面に有する縁石及び縁石部を備えた側溝用ブロックに関する。
【背景技術】
【０００２】
道路上に降った雨は、通常、道路脇に配設（埋設）された集水桝に集められ、当該集水桝に接続された流末管を経由して河川などに放流される。前記集水桝の上部開口には、ごみなどが当該集水桝内に流れ込むのを防ぐために金属製のグレーチング蓋が嵌め込まれている。
ところで、道路に沿って植栽された街路樹からの落葉の一部は道路脇に落下し、雨水により道路端に沿って流されて前記集水桝のグレーチング蓋付近に堆積する。堆積する落葉の量が少ない間は、雨水は、この落葉の隙間から、又は落葉を避けるようにして前記集水桝内に流入することができるが、放置しておくと落葉が徐々に堆積し、前記グレーチング蓋を覆うとともに土手を形成するようになり、集水桝内への雨水の流入が阻害されてしまう。その結果、道路脇に水溜りができ、自動車通過時に歩道上の歩行者に水が飛び跳ねるという問題がある。また、タイヤがスリップし易くなることから、特に自転車などの２輪車で走行する場合には危険である。
【０００３】
特許文献１には、グレーチング蓋の表面にごみが詰まった場合でも集水能力の低下を来たすことのない道路用集水桝が開示されている。特許文献１記載の集水桝は、路面上に開口する平面集水部と、路面上に配設された歩車道境界ブロックの側面に開口する側面集水部とを備えており、各集水部にそれぞれグレーチングを取り付けるとともに、側面集水部の少なくとも上流側における歩車道境界ブロックの側面に集水用の溝が形成されている。そして、特許文献１記載の道路用集水桝によれば、平面集水部にごみが詰まった場合でも、このごみで堰きとめられた雨水が前記側面集水部及び溝へと流入することから、集水桝全体としての集水能力は低下しない、とされている。また、新たに流れてきたごみは、雨水の流れに沿って前記側面集水部及び溝に導かれ、これらの側面集水部及び溝を通じて排出される、とされている。
【０００４】
また、特許文献２には、縁石部を備えた側溝用ブロックが開示されており、前記縁石部に、ブロック上面の雨水を側溝内に導く通水孔を形成するとともに、前記ブロック上面の両端を前記縁石部と連結させて高強度化することが記載されている。この側溝用ブロックによれば、落葉などは前記通水孔を通過して側溝内に流れ込み集水桝内に溜まる、とされている。
【０００５】
【特許文献１】実公平４−７２６９号公報
【特許文献２】特開２００４−２７８０９８号公報
【発明の開示】
【発明が解決しようとする課題】
【０００６】
特許文献１記載の集水桝及び特許文献２記載のブロックによれば、縁石部の側面より雨水を集水することで路面の冠水を防止することができるものの、落葉などのごみが雨水とともに集水桝内に導かれるため、今度は集水桝内が落葉などのごみで詰まってしまう惧れがある。また、集水桝内を清掃して当該集水桝内の落葉などのごみを回収するためには、グレーチング蓋の取外し及び取付け作業が必要であり、面倒である。
【０００７】
本発明は、このような事情に鑑みてなされたものであり、集水桝内への落葉の流入を防止しつつ車道上に水溜りができるのを防ぐことができる縁石及び縁石部を備えた側溝用ブロックを提供することを目的としている。
【課題を解決するための手段】
【０００８】
本発明の第１の観点に係る縁石は、道路脇に埋設された集水桝に隣接して配設される縁石であって、
この縁石の車道側の側面には、前記集水桝に連通する導水部が形成されており、
この導水部の開口には、車道上の雨水を当該導水部に導く複数の開口部が形成された蓋体が設けられており、且つ
前記複数の開口部は、その下端位置が異なる少なくとも２種類の開口部群からなることを特徴としている。
【０００９】
本発明の第１の観点に係る縁石の車道側の側面には、集水桝に連通する導水部が形成されており、この導水部の開口に複数の開口部が形成された蓋体が設けられている。前記複数の開口部は、その下端位置が異なる少なくとも２種類の開口部群からなっている。すなわち、前記複数の開口部は、車道端における雨水の流路面（ガッター）の縁石側側縁を基準として、開口部の下端位置が前記側縁に近い低開口部群と、開口部の下端位置が低開口部群よりも前記側縁から遠い高開口部群とを少なくとも含んでいる。
【００１０】
したがって、落葉堆積の初期段階においては、集水桝上のグレーチング蓋には落葉が堆積しておらず、当該グレーチング蓋を介してスムーズに雨水が集水桝内に流入することから、前記ガッター上を流れる雨水の水深は前記低開口部群の下端位置よりも浅い。このため、前記低開口部群より前記導水部に集水されないので、雨水及び落葉は、ガッター上をグレーチング蓋まで流下して、雨水はグレーチング蓋を介して集水桝内に落下し、一方、落葉はグレーチング蓋上に徐々に堆積していく。
【００１１】
ついで、グレーチング蓋が落葉で徐々に閉塞され当該落葉により堰が形成されると、雨水の水深が上がり、前記低開口部群の下端位置を越えるようになる。そうすると、当該低開口部群の開口部から雨水が前記導水部に集水され始め、これにより落葉が低開口部の前面に堆積し始める。道路には、縦断勾配があることから、下流から順次落葉が堆積し、落葉の堰が上流に向かって成長していく。それに従って、低開口部群に属する開口部による集水位置も上流方向に順次移動していく。
【００１２】
前記低開口部群に属する開口部付近への落葉の堆積が終了すると、当該低開口部群に属する開口部だけでは集水能力不足となり、ガッター上に雨水が溜まり始めるが、このとき前記高開口部群に属する開口部から集水され始めるので、前記ガッター上に水溜りが形成されるのが防止される。
【００１３】
前記複数の開口部が、前記蓋体の上下方向に沿って形成された複数のスリットであるのが好ましい。この場合、スリットの長さを調整することにより、簡単に開口部の下端位置を調整することができる。
【００１４】
また、本発明の第２の観点に係る縁石は、道路脇に埋設された集水桝に隣接して配設される縁石であって、
この縁石には、前記集水桝に連通する導水路が設けられており、
前記縁石の車道側の側面には、車道上の雨水を前記導水路内に導く複数の開口部が形成されており、且つ
前記複数の開口部は、その下端位置が異なる少なくとも２種類の開口部群からなることを特徴としている。
【００１５】
この第２の観点に係る縁石においても、前記第１の観点に係る縁石と同様にして、ガッター上に水溜りが形成されるのが防止される。
【００１６】
また、本発明の第１及び第２の観点に係る縁石では、雨水の水位に応じて当該雨水を集水する開口部の種類及び位置が変わることから、落葉の堆積を、グレーチング蓋上から順番に上流方向に縁石に沿って分散させることができる。したがって、グレーチング蓋及び縁石開口部が落葉などのごみで閉塞するまでの時間を延ばすことができる。また、集水桝を大きくしなくても、集水量を増やすことができる。さらに、落葉などのごみはガッター上に残っているので、簡単に清掃、回収することができる。
また、既存の施設についても、縁石を取り替えるとともに、集水桝に小改造（縁石の導水部からの雨水を集水桝内に導くための改造）を加えるだけで、本発明を適用することができる。
【００１７】
前記導水路が、前記縁石の車道側側面の下部において当該縁石の長手方向に沿って形成された切欠きに固設された角柱状の管体からなるのが好ましい。この構成によれば、縁石の車道側側面の下部を長手方向に切り欠いて、この切欠きに角柱状の管体を固設することにより、簡単に導水路を形成することができる。
【００１８】
前記複数の開口部が、前記管体の側面に上下方向に沿って形成された複数のスリットであるのが好ましい。この場合、スリットの長さを調整することにより、簡単に開口部の下端位置を調整することができる。
【００１９】
本発明の第１の観点に係る側溝用ブロックは、道路脇に埋設された集水桝に隣接して配設される、縁石部を備えた側溝用ブロックであって、
前記縁石部の車道側の側面には、前記集水桝に連通する導水部が形成されており、
この導水部の開口には、車道上の雨水を当該導水部に導く複数の開口部が形成された蓋体が設けられており、且つ
前記複数の開口部は、その下端位置が異なる少なくとも２種類の開口部群からなることを特徴としている。
【００２０】
また、本発明の第２の観点に係る側溝用ブロックは、道路脇に埋設された集水桝に隣接して配設される、縁石部を備えた側溝用ブロックであって、
前記縁石部には、前記集水桝に連通する導水路が設けられており、
前記縁石部の車道側の側面には、車道上の雨水を前記導水路内に導く複数の開口部が形成されており、且つ
前記複数の開口部は、その下端位置が異なる少なくとも２種類の開口部群からなることを特徴としている。
【００２１】
本発明の第１及び第２の観点に係る側溝用ブロックにおいても、前述した本発明の縁石同様に、ガッター上に水溜りが形成されるのが防止されるなどの効果を奏する。
【発明の効果】
【００２２】
本発明の縁石及び縁石部を備えた側溝用ブロックによれば、集水桝内への落葉の流入を防止しつつ車道上に水溜りができるのを防ぐことができる。
【発明を実施するための最良の形態】
【００２３】
以下、添付図面を参照しつつ、本発明の縁石及び縁石部を備えた側溝用ブロックの実施の形態を詳細に説明する。
図１は、本発明の一実施の形態に係る縁石を車道側から見た正面図であり、図２は、図１に示される縁石の横断面図である。縁石１は、横断面がほぼ台形状を呈する長さ１ｍ程度のコンクリート製品であり、道路における歩道と車道とを区画する歩車道境界ブロックとして機能する。縁石１は、図３に示されるように、道路脇に配設された集水桝２の上流側に隣接して配設される。配設される個数は、落葉などのごみの量、雨水の量、及び雨水の流路面を構成するガッター３の幅や縦断勾配などに応じて選定することができるが、通常、２〜３個程度である。
【００２４】
前記縁石１の両側面のうち、車道側に配置される側面１ａには、前記集水桝２に連通する導水路５が設けられている。この導水路５は、前記縁石１の側面１ａの下部において当該縁石１の長手方向に沿って形成された切欠き６に固設された、角柱状の管体である角形鋼管からなっている。この角形鋼管は、例えばエポキシ系接着剤を用いて前記切欠き６に固着することができるが、ボルトなどの固定手段を用いて切欠き６に固定することもできる。本実施の形態のように角形鋼管を採用する場合、縁石１に形成した切欠き６に当該角形鋼管を固設することにより、簡単に導水路５を形成することができる。
【００２５】
角形鋼管の寸法（縦×横）は、縁石１のサイズや流れ込む雨水の量などにより異なるが、１００〜１５０ｍｍ×４０〜１００ｍｍのものを採用することができる。角形鋼管の厚さは、当該角形鋼管の寸法により異なるが、例えば２．３ｍｍ、３．２ｍｍ、４．５ｍｍとすることができる。なお、角形鋼管の断面形状は、長方形であってもよいし、正方形であってもよい。
【００２６】
前記導水路５を構成する角形鋼管の車道側の側面５ａには、前記ガッター３上を流れる雨水を当該導水路５内に導く複数の開口部であるスリット７が形成されている。このスリット７は、前記導水路５の側面５ａにおいて上下方向（縁石１が道路上に配置された状態において上下方向）に沿って形成されている。スリット７には、前記ガッター３の縁石側の側縁３ａ（図１〜２参照）を基準として、その下端位置７ａ１が前記側縁３ａに近い（換言すれば、下端位置７ａ１と側縁３ａとの間の距離が小さい）スリット７ａと、その下端位置７ｂ１が前記スリット７ａよりも前記側縁３ａから遠い（換言すれば、下端位置７ｂ１と側縁３ａとの間の距離が大きい）スリット７ｂとの２種類があり、本実施の形態では、スリット７ａとスリット７ｂが交互に形成されている。雨水導入のための開口部として、スリット７を用いる場合、当該スリット７の長さを調整することにより、簡単に開口部の下端位置を調整することができるという利点がある。
【００２７】
スリット７の長さは、本発明において特に限定されるものではないが、例えばスリット７ａの長さを４５〜７５ｍｍとし、スリット７ｂの長さを４０〜７０ｍｍとすることができる。また、スリット７の幅は、例えば３〜１５ｍｍとすることができる。
長い方のスリット７ａの下端位置７ａ１と側縁３ａとの間の距離ｄは、ガッター３の道路横断方向の傾斜角αや、ガッター３上における雨水の車道中心方向への広がりｗ１の許容寸法などにより異なるが、通常、５〜２０ｍｍの範囲で選定することができる。また、短い方のスリット７ｂの下端位置７ｂ１と側縁３ａとの間の距離Ｄも、ガッター３の道路横断方向の傾斜角αや、ガッター３上における雨水の車道中心方向への広がりｗ２の許容寸法などにより異なるが、通常、１０〜３０ｍｍの範囲で選定することができる。
【００２８】
図３は、図１に示される縁石１の使用状態を示しており、集水桝２に嵌め込まれたグレーチング蓋８上に落葉が徐々に堆積して堰を形成すると、この堰により堰き止められた雨水は、前記集水桝２の上流側に隣接して配置された縁石１のスリット７から、当該縁石１の導水路５を経由して集水桝２内に集水される。
【００２９】
図４〜７は、落葉の堆積状況をその段階毎に説明する図である。まず、落葉堆積の初期段階（図４参照）においては、集水桝２上のグレーチング蓋８には落葉がほとんど堆積しておらず、ガッター３上を集水桝１に向かって流下してきた雨水は当該グレーチング蓋８を介してスムーズに当該集水桝１内に流入する。したがって、前記ガッター３上を流れる雨水の水深は前記スリット７のうち長い方のスリット７ａの下端位置７ａ１よりも浅いため、前記スリット７ａより縁石１の導水路５に集水されない。その結果、雨水及び落葉は、ガッター３上をグレーチング蓋８まで流下して、雨水はグレーチング蓋８を介して集水桝２内に落下し、一方、落葉はグレーチング蓋８上に徐々に堆積していく。
【００３０】
ついで、グレーチング蓋８が落葉で徐々に閉塞され当該落葉により堰が形成されると、雨水の水深が上がり、前記複数のスリット７ａのうち最も下流側（最もグレーチング蓋８側）に位置するものの下端位置７ａ１を越えるようになる（図５参照）。そうすると、当該スリット７ａから雨水が前記導水路５に集水され始め、これにより落葉がスリット７ａの前面に堆積し始める。道路には、縦断勾配があることから、下流から順次落葉が堆積し、落葉の堰が上流に向かって成長していく。それに従って、スリット７ａによる集水位置も上流方向に順次移動していく（図６参照）。
【００３１】
長い方のスリット７ａへの落葉の堆積が終了すると、当該長い方のスリット７ａだけでは集水能力不足となり、ガッター３上に雨水が溜まり始めるが、このとき短い方のスリット７ｂのうち最も下流側に位置するものから集水され始めるので、前記ガッター３上に水溜りが形成されるのが防止される（図７参照）。短い方のスリット７ｂについても、長い方のスリット７ａと同様に、下流から順次落葉が堆積し、落葉の堰が上流に向かって成長していく。それに従って、スリット７ｂによる集水位置も上流方向に順次移動していく。
【００３２】
本実施の形態では、２種類の長さのスリットが導水路５の車道側側面に形成されており、雨水の水位に応じて当該雨水を集水するスリットの種類及びその位置（道路縦断方向の位置）が変わることから、落葉の堆積を、グレーチング蓋８上だけでなく縁石１に沿って分散させることができる。したがって、グレーチング蓋８及びスリット７が落葉などのごみで閉塞するまでの時間を延ばすことができる。また、集水桝２を大きくしなくても、集水量を増やすことができる。さらに、落葉などのごみはガッター３上に残っているので、簡単に清掃、回収することができる。
【００３３】
また、既存の施設についても、縁石を取り替えるとともに、集水桝に小改造（縁石の導水部からの雨水を集水桝内に導くための改造）を加えるだけで、本実施の形態を適用することができる。
【００３４】
なお、前述した実施の形態では、縁石の側面に固設した鋼管により導水路を構成したが、かかる鋼管を用いることなく、縁石の車道側側面の下部を長手方向に切り欠いた切欠き部を導水部とし、この導水部の開口（車道側の開口）に複数のスリット（開口部）が形成された蓋体（図示せず）を設けることもできる。前記複数のスリットは、前記スリット７ａ、７ｂと同じく、その下端位置が異なる２種類のスリット群とすることができる。蓋体は、例えば鋼板などで作製することができ、接着剤やボルトなどの固定手段によって前記導水部の開口に取り付けられる。この実施の形態においても、ガッター上を流下する雨水は、前述した実施の形態と同様にして前記導水部に導かれ、当該導水部を経由して集水桝内に集水される。
また、例えば縁石の中央付近又は車道側側面寄りに導水路を形成し、当該縁石の車道側側面に、車道上の雨水を前記導水路内に導く複数の開口部を形成することもできる。この場合は、前記鋼管及び蓋体を省略することができる。
【００３５】
図８は、本発明の一実施の形態に係る縁石部を備えた側溝用ブロックの断面説明図である。この側溝用ブロック１０は、前記縁石１と同様に、道路脇に埋設された集水桝に隣接して配設され、上面にガッター１２を有するブロック本体１１からなっている。本実施の形態では、車道と歩道とを区画する歩車道境界ブロックとして機能する縁石部１３が、前記ガッター１２の歩道側の側縁に沿って、前記ブロック本体１１と一体に形成されている。また、ブロック本体１１の内部には、雨水排出のための断面円形の流路１４が形成されている。
【００３６】
この実施の形態においては、縁石部１３の車道側側面１３ａの下部において長手方向に形成された溝部を導水部１５とし、この導水部１５の開口（車道側の開口）に複数のスリット１７（開口部）が形成された蓋体１６が設けられている。前記複数のスリット１７は、前記スリット７ａ、７ｂと同じく、その下端位置が異なる２種類のスリット群とすることができる。蓋体１６は、例えば鋼板などで作製することができ、接着剤やボルトなどの固定手段によって前記導水部１５の開口に取り付けられる。前記導水部１５と流路１４は、接続路１８により接続されている。
【００３７】
この実施の形態においても、ガッター１２上を流下する雨水は、前述した実施の形態と同様にして前記導水部１５に導かれ、当該導水部１５、接続路１８及び流路１４を経由して集水桝内に集水される。なお、本発明において「連通」とは、このような接続路１８及び流路１４を介して、導水部１５が集水桝と間接的に連通する場合も含まれるものとする。また、前記接続路１８を省略して、導水部１５を直接集水桝に接続する構成とすることもできる。
【００３８】
また、図８に示される実施の形態において、前記蓋体１６を用いることなく、図１〜３に示されるような管体を、縁石部１３の車道側側面１３ａの下部において長手方向に形成された溝部に固着することで、雨水の導水路を形成するようにしてもよい。この場合は、前記管体の車道側の側面に前記スリット７ａ、７ｂと同じく、その下端位置が異なる２種類のスリット群を形成すればよい。さらに、例えば縁石部１３の中央付近又は車道側側面寄りに導水路を形成し、当該縁石部の車道側側面に、車道上の雨水を前記導水路内に導く複数の開口部を形成することもできる
【００３９】
さらに、前述した実施の形態では、雨水を集水する開口部としてスリットを採用しているが、本発明はこれに限定されるものではなく、その下端位置が異なる限り、孔や楕円形など他の形状の開口部を用いることができる。また、長いスリットと短いスリットの２種類の開口部群を例示したが、その下端位置が異なる３種類以上の開口部群を用いることもできる。
【図面の簡単な説明】
【００４０】
【図１】本発明の縁石の一実施の形態の正面図である。
【図２】図１に示される縁石の横断面図である。
【図３】図１に示される縁石の使用状態を説明する斜視図である。
【図４】落葉の初期の堆積状況を説明する図である。
【図５】落葉の中期の堆積状況を説明する図である。
【図６】落葉の中期の堆積状況を説明する図である。
【図７】落葉の終期の堆積状況を説明する図である。
【図８】本発明の縁石部を備えた側溝用ブロックの一実施の形態の断面説明図である。
【符号の説明】
【００４１】
１      縁石
２      集水桝
３      ガッター
５      導水路
６      切欠き
７、７ａ
７ｂ  スリット
８      グレーチング蓋
１０      側溝用ブロック
１１      ブロック本体
１２      ガッター
１３      縁石部
１４      流路
１５      導水部
１６      蓋体
１７      スリット
１８      接続路
【図１】
2008184773.tif 000003
【図２】
2008184773.tif 000004
【図３】
2008184773.tif 000005
【図４】
2008184773.tif 000006
【図５】
2008184773.tif 000007
【図６】
2008184773.tif 000008
【図７】
2008184773.tif 000009
【図８】
2008184773.tif 000010